(57)【要約】【課題】眼鏡フレームを着用するだけでイアリングやピアスを着用しているように見せかけることが可能である上、装飾性の高い眼鏡用位置ずれ防止具を提供する。【解決手段】眼鏡用位置ずれ防止具１は、シリコーンゴム製のストッパ本体２と、アクセサリーを連結可能な連結部材３とによって形成されている。ストッパ本体２は、眼鏡に固定するための肉厚な円柱状の固定部２ａの下側から耳たぶの基端の裏側にフィットさせるための薄肉な三角形状のフィット部２ｂを垂下させたフック形状を有している。そして、当該フィット部２ｂの先端に、連結部材３を介してアクセサリーを取り付けるための貫通穴５が、内外方向に貫通するように穿設されている。【選択図】図１
0003220398.tif 000002
【実用新案登録請求の範囲】
【請求項１】
装着した眼鏡の位置ずれを防止するために眼鏡フレームの各モダン部分の先端を覆うように取り付けられる合成樹脂製の眼鏡用位置ずれ防止具であって、
アクセサリーを装着するためのアクセサリー取付手段が設けられていることを特徴とする眼鏡用位置ずれ防止具。
【請求項２】
人の耳たぶの裏側の付け根にフィットさせるためのフィット部が設けられているとともに、そのフィット部の先端際に、前記アクセサリー取付手段が設けられていることを特徴とする請求項１に記載の眼鏡用位置ずれ防止具。
【請求項３】
前記アクセサリー取付手段が、前記フィット部の先端を内外方向に貫通するように形成された貫通穴であることを特徴とする請求項１、または請求項２に記載の眼鏡用位置ずれ防止具。
【考案の詳細な説明】
【技術分野】
【０００１】
本考案は、装着した眼鏡の位置ずれを防止するために眼鏡フレームの各モダン部分の先端を覆うように取り付けられる合成樹脂製の位置ずれ防止具に関するものである。
【背景技術】
【０００２】
お洒落、ファッション用途の装飾品として、多くの人がイアリングやピアスを耳たぶに装着するが、イアリングやピアスを耳たぶに装着する際には、耳たぶに穴を空けたり、耳たぶに対して強い圧力を加えたりしなければならないため、装着を敬遠する人も多い。また、通常のイアリングやピアスは金属によって形成されているため、金属アレルギーの人は装着することが難しい。そのため、特許文献１の如く、アレルギーを誘発しない金属であるチタンや合成樹脂等の素材によって耳たぶと接触する部分を形成したピアス（ピアスイヤリング）も開発されている。
【０００３】
一方、眼鏡の着用者が激しい運動をすると、振動や発汗により眼鏡が位置ずれしたり外れてしまったりすることがある。そのように眼鏡がずれ落ちるのを防止するために、特許文献２の如く、眼鏡フレームのモダン端部を挿通可能な筒状のアジャスター部材、および、当該アジャスター部材を挿通可能な筒状部と耳たぶの裏側にフィットさせる耳掛け片とを有する本体からなる合成樹脂製の位置ずれ防止具が開発されている。
【先行技術文献】
【特許文献】
【０００４】
【特許文献１】特開平９−１８２６０８号公報
【特許文献２】実用新案登録第３１１０４２２号公報
【考案の概要】
【考案が解決しようとする課題】
【０００５】
しかしながら、特許文献１の如きピアスは、耳たぶと接触する部分をチタンによって形成する場合には、安価に製造することができないし、耳たぶを貫通するピンを合成樹脂によって形成する場合には、強度の関係でピンを大径にしなければならないため、装着が困難なものになってしまう。一方、従来の眼鏡用位置ずれ防止具は、まったく装飾性がなく、商品化した場合には陳腐で面白みに欠けるものとなってしまう。
【０００６】
考案者らは、特許文献２の如き位置ずれ防止具が、眼鏡を着用した場合に耳たぶに近い部分に位置することに着目し、その位置ずれ防止具を加工することによって、装飾性の高い斬新なものにすることができ、かつ、イアリングやピアスを着用しているように見せかけることが可能になることを見出し、本考案を案出するに至った。すなわち、本考案の目的は、眼鏡フレームを着用するだけでイアリングやピアスを着用しているように見せかけることが可能な上、装飾性の高い眼鏡用位置ずれ防止具を提供することにある。
【課題を解決するための手段】
【０００７】
上記課題を解決するために、請求項１に記載された考案は、装着した眼鏡の位置ずれを防止するために眼鏡フレームの各モダン部分の先端を覆うように取り付けられる合成樹脂製の眼鏡用位置ずれ防止具（ストッパ）であって、アクセサリーを装着するためのアクセサリー取付手段が設けられていることを特徴とするものである。なお、眼鏡フレームのモダン部分とは、長時間メガネをかけていても痛くならないようにする目的等で眼鏡フレームの両端に設けられる耳あて部分のことである。
【０００８】
請求項２に記載された考案は、請求項１に記載された考案において、人の耳たぶの裏側の付け根にフィットさせるためのフィット部が設けられているとともに、そのフィット部の先端際に、前記アクセサリー取付手段が設けられていることを特徴とするものである。
【０００９】
請求項２に記載された考案は、請求項１、または請求項２に記載された考案において、前記アクセサリー取付手段が、前記フィット部の先端を内外方向に貫通するように形成された貫通穴であることを特徴とするものである。
【考案の効果】
【００１０】
請求項１に記載の眼鏡用位置ずれ防止具は、アクセサリー取付手段を利用してイヤリングやピアス等を取り付けた状態で装着することによって、眼鏡の位置ずれを防止できるだけでなく、耳たぶにイヤリングやピアスを装着したように見せかける（カモフラージュする）ことができる。したがって、眼鏡の着用者にとっては眼鏡の装着とは別個に耳たぶにイヤリングやピアスを装着する必要がないので、非常に便利である。また、耳たぶに直接的にイヤリングやピアスを接触させる必要がないので、金属アレルギーの人でも問題なく、イヤリングやピアスを装着したように見せかけることができる。
【００１１】
請求項２に記載の眼鏡用位置ずれ防止具は、人の耳たぶの裏側の付け根にフィットさせるためのフィット部の先端際にアクセサリー取付手段が設けられているので、イヤリングやピアスを耳たぶに装着している状態にきわめて近い状態に見せかけることができる。
【００１２】
請求項３に記載の眼鏡用位置ずれ防止具は、アクセサリー取付手段がフィット部の先端を内外方向に貫通するように形成された貫通穴であるため、アクセサリー取付手段へのアクセサリーの取り付けが非常に容易である。
【図面の簡単な説明】
【００１３】
【図１】眼鏡用位置ずれ防止具を示す説明図である（ａはアクセサリーを取り付けた状態を示したものであり、ｂはアクセサリーおよび取付部材を外した状態を示したものである。
【図２】眼鏡用位置ずれ防止具の使用状態を示す説明図である。
【考案を実施するための形態】
【００１４】
以下、本考案に係る眼鏡用位置ずれ防止具（以下、単に位置ずれ防止具という）の一実施形態について、図面に基づいて詳細に説明する。
【００１５】
＜位置ずれ防止具の構造＞
図１は、位置ずれ防止具１を示す斜視図であり、位置ずれ防止具１は、ストッパ本体２と連結部材３から構成されており、２個一組で使用するようになっている。ストッパ本体２は、軟質の合成樹脂（シリコーンゴム）によって一体成形されており、眼鏡に固定するための肉厚な円柱状の固定部２ａの下側から耳たぶの基端の裏側にフィットさせるための薄肉な三角形状のフィット部（耳掛け片）２ｂを垂下させたフック形状を有している。
【００１６】
ストッパ本体２の固定部２ａには、眼鏡フレームのモダン部分（長時間メガネをかけていても負担がかからないようにするための合成樹脂製の耳あて部分）の端部を挿通させるための所定の大きさの楕円柱状（長径＝７ｍｍ×短径＝３ｍｍの楕円柱状）の挿通穴４が前後を貫通するように設けられている。
【００１７】
一方、フィット部２ｂは、耳たぶの基端の裏側にフィットするように内側（前側）の端縁が円弧状になっており、先端（下端）に、アクセサリーを取り付けるためのアクセサリー取付手段である貫通穴５が、内外方向に貫通するように穿設されている。当該貫通穴５は、円柱状になっており、所定の径（約１．０ｍｍφ）を有している。そして、その貫通穴５を利用して、アクセサリーの取り付けを容易にするための金属製で所定の径（約１．２ｍｍφ）のリング状（略楕円状）の連結部材３が取り付けられている（すなわち、連結部材３が貫通穴５を貫通した状態になっている）。
【００１８】
＜位置ずれ防止具の使用方法＞
図２は、位置ずれ防止具１の使用状態を示したものである。位置ずれ防止具１は、連結部材３を利用して各種の形状のアクセサリーＡを取り付けた状態で、固定部２ａの挿通穴４の前側から眼鏡フレームのモダン部分の先端を挿入して、眼鏡フレームのモダン部分の先端に外嵌させることによって眼鏡フレームに装着する。そのように２個一組の位置ずれ防止具１を装着させた眼鏡を着用すると、位置ずれ防止具１のフィット部２ｂの前端縁が、使用者の耳たぶの基端の裏側にフィットするとともに、フィット部２ｂの先端から垂れ下がったアクセサリーＡが、眼鏡着用者の耳たぶから垂れ下がっているかの如き外観を露呈する。
【００１９】
＜位置ずれ防止具の効果＞
位置ずれ防止具１は、上記の如く、アクセサリーを装着するためのアクセサリー取付手段である貫通穴５が設けられているため、その貫通穴５（および取付部材３）を利用してイヤリングやピアスを取り付けた状態で眼鏡フレームに装着することによって、眼鏡の位置ずれを防止できるだけでなく、耳たぶにイヤリングやピアスを装着したように見せかける（カモフラージュする）ことができる。したがって、眼鏡の着用者にとっては、眼鏡の装着とは別個に耳たぶにイヤリングやピアスを装着する必要がないので、非常に便利である。また、位置ずれ防止具１によれば、耳たぶに直接的にイヤリングやピアスを接触させる必要がなくなるので、金属アレルギーの人でも何ら問題なく、イヤリングやピアスを装着したように見せかけることが可能となる。
【００２０】
また、 位置ずれ防止具１は、人の耳たぶの裏側の付け根にフィットさせるためのフィット部２ｂが設けられているとともに、そのフィット部２ｂの先端際にアクセサリー取付手段である貫通穴５が設けられているので、イヤリングやピアスを耳たぶに装着している状態にきわめて近い状態に見せかけることができる。
【００２１】
さらに、位置ずれ防止具１は、アクセサリー取付手段がフィット部２ｂの先端を内外方向に貫通するように形成された貫通穴５であるため、アクセサリー取付手段を利用したアクセサリーＡの取り付けが非常に容易である。
【００２２】
＜位置ずれ防止具の変更例＞
本考案に係る位置ずれ防止具は、上記した各実施形態の態様に何ら限定されるものではなく、ストッパ本体、アクセサリー取付手段、連結手段等の構成を、本発明の趣旨を逸脱しない範囲で、必要に応じて適宜変更することができる。たとえば、本考案に係る位置ずれ防止具は、上記実施形態の如く、アクセサリー取付手段が連結部材を繋ぐための貫通穴であるものに限定されず、アクセサリー取付手段が連結部材等を係止させる係止突起であるものや、アクセサリー取付手段が環状の連結部材やアクセサリーの基端の環状部分等を挿通可能なリング状体（一体的に設けられたものあるいは付設されたもの）であるもの等でも良い。さらに、アクセサリー取付手段を、上記実施形態の如く連結部材を繋ぐための貫通穴とする場合には、貫通穴の貫通方向は、眼鏡の幅方向（眼鏡着用者に対して近接・離反する方向）に限定されず、眼鏡の幅方向に対して直交する方向（眼鏡着用者の顔の側面に概ね沿った方向）とすることも可能である。かかる構成を採用した場合には、大型の連結部材を採用した場合でも、使用時に連結部材が顔面に接触しにくい、というメリットがある。また、本考案に係る位置ずれ防止具は、上記実施形態の如く、連結部材を介してアクセサリー取付手段にアクセサリーを取り付けるものに限定されず、アクセサリー取付手段に直接的にアクセサリーを取り付けるもの等でも良い。
【産業上の利用可能性】
【００２３】
本考案に係る位置ずれ防止具は、上記の如く優れた効果を奏するものであるので、イヤリングやピアスを装着したように見せかけることが可能な眼鏡用の位置ずれ防止具として好適に用いることができる。
【符号の説明】
【００２４】
１・・位置ずれ防止具
２・・ストッパ本体
２ａ・・固定部
２ｂ・・フィット部
３・・連結部材
４・・挿通穴
５・・貫通穴（アクセサリー取付手段）
【図１】
0003220398.tif 000003
【図２】
0003220398.tif 000004
【手続補正書】
【提出日】平成30年12月28日(2018.12.28)
【手続補正１】
【補正対象書類名】実用新案登録請求の範囲
【補正対象項目名】全文
【補正方法】変更
【補正の内容】
【実用新案登録請求の範囲】
【請求項１】
装着した眼鏡の位置ずれを防止するために眼鏡フレームの各モダン部分の先端を覆うように取り付けられる合成樹脂製の眼鏡用位置ずれ防止具であって、
アクセサリーを装着するためのアクセサリー取付手段が設けられていることを特徴とする眼鏡用位置ずれ防止具。
【請求項２】
人の耳たぶの裏側の付け根にフィットさせるためのフィット部が設けられているとともに、そのフィット部の先端際に、前記アクセサリー取付手段が設けられていることを特徴とする請求項１に記載の眼鏡用位置ずれ防止具。
【請求項３】
前記アクセサリー取付手段が、前記フィット部の先端を内外方向に貫通するように形成された貫通穴であることを特徴とする請求項２に記載の眼鏡用位置ずれ防止具。